(57)【要約】【課題】調光フィルムを窓ガラスなどに貼り付けることによって得た調光装置を用いて、搭乗者のプライバシーの保護と窓からの眺望の確保を、自動的に且つより適切に実行可能であり、且つ停電時にもゴンドラの内部を視認可能な調光装置を備えたシースルー型エレベータや観覧車に使用されるゴンドラ（かご）を提供することを課題とする。【解決手段】シースルー型エレベータや観覧車などのゴンドラ１であって、リバースタイプの調光フィルム１０をゴンドラの窓部２の一部または全部に貼り付けた調光装置２０と、ゴンドラの位置を検知する位置センサ９と、ゴンドラの内部の明るさを検知する光センサ１１と、調光フィルムに印加する電圧のＯＮ／ＯＦＦを切り替えるスイッチ１３と、位置センサと光センサからの情報に基づいてスイッチのＯＮ／ＯＦＦを決定するＯＮ／ＯＦＦ制御装置１２と、を備えていることを特徴とするゴンドラ。【選択図】図１
2019123577.tif 000002
【特許請求の範囲】
【請求項１】
電圧を印加した時に不透明になり、電圧を印加しない時に透明になる調光フィルムをゴンドラの窓部の少なくとも一部に貼り付けた調光装置と、
ゴンドラの位置を検知する位置センサと、
ゴンドラの内部の明るさを検知する光センサと、
調光フィルムに印加する電圧のＯＮ／ＯＦＦを切り替えるスイッチと、
位置センサと光センサからの情報に基づいてスイッチのＯＮ／ＯＦＦを決定するＯＮ／ＯＦＦ制御装置と、を備えていることを特徴とするゴンドラ。
【請求項２】
請求項１に記載のゴンドラのＯＮ／ＯＦＦ制御装置の制御方法であって、
ＯＮ／ＯＦＦ制御装置が前記位置センサからの前記ゴンドラの高さ情報と、前記光センサからの前記ゴンドラ内部の明るさ情報と、を取得する工程と、
取得したゴンドラ内部の明るさ情報による明るさｉ（ルックス）と、予め設定した明るさＩ（ルックス）と、取得した高さ情報による高さｈと、予め設定した高さＨと、において、
ｈがＨ以上である場合は、スイッチをＯＦＦし、
ｈがＨ未満である場合は、ｉがＩ以上である場合はＯＮし、ｉがＩ未満である場合は、ｈの値とｉの値のセットに対応して予め設定したスイッチのＯＮ／ＯＦＦ特性に従ってＯＮ／ＯＦＦを決定することを特徴とするゴンドラのＯＮ／ＯＦＦ制御装置の制御方法。
【発明の詳細な説明】
【技術分野】
【０００１】
遊園地の観覧車やロープウェイ、エレベータ等の輸送機械の搭乗者などを乗せる箱状・籠状の部位であるゴンドラ（かごとも称する。）に関する。更に詳しくはゴンドラ内部の搭乗者のプライバシーを保護する機能を備えたゴンドラに関する。
【背景技術】
【０００２】
観覧車のゴンドラの様に、高い所までゴンドラを上げて景色を楽しむことを目的としている場合、ゴンドラの天井部や側面部だけでなく、床面をも透明にして、景観を楽しみたいというニーズがある。ロープウェイやエレベータなどにおいても同様のニーズがある場合がある。
【０００３】
しかしながら、ゴンドラの側面部の下部や床面を透明にしてしまうと、ゴンドラの外部の近傍にいる人がゴンドラの透明な側面下部などからゴンドラ内部を視認できることになり、プライバシーを保護する観点から好ましくない。
【０００４】
このようなニーズに対して、特許文献１には、ゴンドラの窓ガラスに調光型液晶ガラスを用い、ゴンドラの通過部位に応じて調光型液晶ガラスに印加する電圧をＯＮ／ＯＦＦするスイッチを備えたシースルー型エレベータが開示されている。
【０００５】
特許文献１に記載の発明は、シースルー型エレベータのゴンドラの窓ガラスに調光型液晶ガラスを用いている。そして、ゴンドラ搭乗者に外部を見せたくない位置や外部の第三者（例えば歩行者等）にゴンドラの内部を見られたくない位置を位置検知手段によって検知する。検知結果に基づきスイッチ手段が連動し調光型液晶ガラスの透明度を切り替えている。但し、特許文献１に記載の発明は、スイッチ手段と連動させるのは位置検知手段のみである。そのため、例えば、観察に適した位置であるにも拘らず一律にスイッチ手段が駆動して調光型液晶ガラスが不透明になる等、十分にプライバシー保護と風景観察の両立を図っているとは言いがたい。
【０００６】
また特許文献２には、エレベータのかごの展望用窓に調光ガラスを使用した場合、バッテリを調光ガラスの補助電源として備え、停電時に自動的に商用電源から切り替える技術が開示されている。これにより、停電時に調光ガラスの電源供給が切れて調光ガラスが不透明になったとしても補助電源により駆動が継続し、搭乗者が不安になり、またかご内の状況が確認できなくなる問題を解決する技術が開示されている。これによると、調光ガラスの駆動単位毎、つまりかご毎に補助電源を備える必要があり、コストの面や配置空間の面等から実現的ではない。
【先行技術文献】
【特許文献】
【０００７】
【特許文献１】特開平８−１７７３４１号公報
【特許文献２】特開平７−２４７０９０号公報
【発明の概要】
【発明が解決しようとする課題】
【０００８】
上記の事情に鑑み、本発明は調光フィルムを窓ガラスなどに貼り付けることによって得た調光装置を用いて、搭乗者のプライバシーの保護と窓からの眺望の確保を、自動的に且つより適切に実行可能であり、さらには停電時にもゴンドラの内部を視認可能な調光装置を備えたシースルー型エレベータや観覧車に使用されるゴンドラ（かご）を提供すること
を課題とする。
【課題を解決するための手段】
【０００９】
上記の課題を解決する手段として、本発明の第一の態様は、シースルー型エレベータや観覧車などのゴンドラであって、
電圧を印加した時に不透明になり、電圧を印加しない時に透明になる調光フィルムをゴンドラの窓部の一部または全部に貼り付けた調光装置と、
ゴンドラの位置を検知する位置センサと、
ゴンドラの内部の明るさを検知する光センサと、
調光フィルムに印加する電圧のＯＮ／ＯＦＦを切り替えるスイッチと、
位置センサと光センサからの情報に基づいてスイッチのＯＮ／ＯＦＦを決定するＯＮ／ＯＦＦ制御装置と、を備えていることを特徴とするゴンドラである。
【００１０】
本発明のゴンドラは、ゴンドラの高さとゴンドラ内部の明るさによって、ゴンドラの窓の一部に調光フィルムを貼り付けてある調光窓の調光機能をＯＮ／ＯＦＦすることによって、ゴンドラの搭乗者のプライバシーをより適確に保護することができる。
【００１１】
調光窓の調光機能のＯＮ／ＯＦＦは、ゴンドラの高さを検知する位置センサと、ゴンドラ内の明るさを検知する光センサの値に基づいて、搭乗者のプライバシーを保護し且つゴンドラ内部からの眺望を良好に保つ様に、ＯＮ／ＯＦＦ制御装置によって自動的に決定される。
【００１２】
また、電圧を印加した時に不透明になり、電圧を印加しない時に透明になるリバースタイプの調光フィルムを使用しているため、事故などによって停電した場合であっても、調光窓は透明となるため、ゴンドラ内部を容易に視認することができる。
【００１３】
第二の態様は、第一の態様に記載のゴンドラのＯＮ／ＯＦＦ制御装置の制御方法であって、
ＯＮ／ＯＦＦ制御装置が前記位置センサからの前記ゴンドラの高さ情報と、前記光センサからの前記ゴンドラ内部の明るさ情報と、を取得する工程と、
取得したゴンドラ内部の明るさ情報による明るさｉ（ルックス）と、予め設定した明るさＩ（ルックス）と、取得した高さ情報による高さｈと、予め設定した高さＨと、において、
ｈがＨ以上である場合は、スイッチをＯＦＦし、
ｈがＨ未満である場合は、ｉがＩ以上である場合はＯＮし、ｉがＩ未満である場合は、ｈの値とｉの値のセットに対応して予め設定したスイッチのＯＮ／ＯＦＦ特性に従ってＯＮ／ＯＦＦを決定することを特徴とするゴンドラのＯＮ／ＯＦＦ制御装置の制御方法である。
【００１４】
本発明のＯＮ／ＯＦＦ制御装置の制御方法は、ゴンドラの高さが予め設定した高さ以上にある時は、ゴンドラの内部の明るさに関わらずスイッチをＯＦＦして調光窓を透明にする事により、ゴンドラの外部を良く見える様にすることができる。
【００１５】
一方、ゴンドラの高さが、予め設定した高さ未満に有る場合は、予め設定した特性に従って、高さによってスイッチをＯＮするかＯＦＦするかを決定する。この様にすることで、プライバシーを確実に確保しながら、ゴンドラ内部からの眺望をできるだけ良くすることができる。
【発明の効果】
【００１６】
本発明のゴンドラは、ゴンドラの高さとゴンドラ内部の明るさを検知する位置センサと
光センサを備えており、それらの測定値によってＯＮ／ＯＦＦ制御装置が窓部の調光装置のＯＮ／ＯＦＦを自動的に実施する。そのため、搭乗者のプライバシーを保護しながら、ゴンドラからの眺望を良好に保つことが可能となる。
また、本発明のゴンドラは、窓部にリバースタイプの調光フィルムを使用することにより、事故などで停電になった場合、補助光源等特段の設備を追加することなく調光フィルムを透明化させることができゴンドラ内部を視認することができる。
【図面の簡単な説明】
【００１７】
【図１】本発明のゴンドラの窓部の遮光状態を例示する説明図であって、（ａ）はゴンドラの窓部が全て透明な状態、（ｂ）は窓部の下の方が不透明（遮光）になった状態、（ｃ）は窓部の半分程度の位置まで不透明（遮光）になった状態、を例示している。
【図２】（ａ）は本発明のゴンドラで使用する調光システムの構成例を説明する説明図、（ｂ）はその調光システムで使用する調光装置の構成例を示す断面図、である。
【図３】（ａ）は従来のゴンドラの窓部のガラスに貼って使用する調光フィルムの断面構造を例示した断面図、（ｂ）はその調光フィルムをガラス板に貼ることによって作製した調光装置を例示する断面図、である。
【発明を実施するための形態】
【００１８】
＜ゴンドラ＞
本発明の実施形態のゴンドラを、図１および図２を用いて説明する。
本実施形態のゴンドラ１は、シースルー型エレベータや観覧車などで使用されるゴンドラ（かごとも称する。）である。
【００１９】
本発明のゴンドラ１は、電圧を印加した時に不透明になり、電圧を印加しない時に透明になる調光フィルムをゴンドラ１の窓部２の一部または全部に貼り付けた窓部２と、ゴンドラ１の位置を検知する位置センサ９と、ゴンドラ１の内部の明るさを検知する光センサ１１と、調光フィルムに印加する電圧のＯＮ／ＯＦＦを切り替えるスイッチ１３と、位置センサ９と光センサ１１からの情報に基づいてスイッチ１３のＯＮ／ＯＦＦを決定するＯＮ／ＯＦＦ制御装置１２と、を備えている。
位置センサ９と光センサ１１とスイッチ１３とＯＮ／ＯＦＦ制御装置１２と調光装置２０とを合せて、調光システム３０を構成している。
【００２０】
（調光フィルム）
本発明のゴンドラ１で使用する調光フィルム１０は、電圧を印加した時に不透明になり、電圧を印加しない時に透明になるリバースタイプの調光フィルムである。リバースタイプの調光フィルム１０を使用するメリットは、事故などによりゴンドラ１への給電ができなくなった状態で透明になることで、ゴンドラ１内部を、窓部２を通して視認可能となることである。
【００２１】
（窓部）
本発明のゴンドラ１の窓部２は、ゴンドラ１の窓ガラスのガラス板８に調光フィルム１０を、接着層７を貼り付けることによって作製する。窓ガラスのガラス板８に調光フィルム１０を貼り付けた部分が調光装置２０となる。本発明のゴンドラ１においては、窓部２の一部に調光フィルム１０を貼り付けても良いし、窓部２の全部に調光フィルム１０を貼り付けても良い。
【００２２】
窓部２の一部に調光フィルム１０を貼った形態とする場合は、図１の（ａ）に示した調光フィルム１０を貼り付けていない状態に、（ｂ）に示した様に、窓部２の下部からある高さまでの調光フィルム部３−１としても良いし、（ｃ）に示した様に、（ｂ）の調光フィルム部３−１より高い位置までの調光フィルム部３−２としても良い。調光フィルム部３−１と調光フィルム部３−２を備えた形態としておくこともできる。
更には、窓部２の全部あるいは全面に調光フィルム１０を貼った形態とすることもできる。調光フィルム部３−１と３−２の様に、窓部２を分割した形で全面に調光フィルム部を形成し、窓部２の下側から順次、電圧を印加して不透明部または遮光部となる部分を上げて行ったり、逆に下げて行くこともできる。
【００２３】
＜調光システム＞
次に本発明のゴンドラ１の調光システム３０について説明する。
【００２４】
（位置センサ）
本発明のゴンドラ１で使用する調光システム３０で使用する位置センサ９は、観覧車のゴンドラの高さを検知することができれば特に限定する必要はない。例えば、観覧車の円形軌道の中の位置から高さを算出する間接的な高さ検知の手段であっても良い。この場合、例えば各観覧車のゴンドラの一番下の位置を起点として、観覧車が何度回転したかをロータリーエンコーダによって検知し、その角度と観覧車の円周軌道の半径からゴンドラの高さを算出することが可能である。なお、ここでゴンドラの高さとは、通常地上からの高さを想定する。但し、高所に乗り場がある場合等ゴンドラから最も近くに位置する外部の第三者が存在する高さを基準とすることも可能である。
【００２５】
直接的に高さ計測手段としては、各種の距離計測手段を使用してゴンドラの高さを計測することができる。例えば、望遠レンズのピントをコントラストで検知する方法、超音波やレーザー光が反射して帰ってくる時間を計測する方法、などを挙げる事ができる。
【００２６】
（光センサ）
本発明のゴンドラ１で使用する調光システム３０で使用する光センサ１１は、ゴンドラ１の内部の明るさを検知できるセンサであれば特に限定する必要は無い。光導電型（光が当ると電気抵抗が低下する半導体素子）や光起電型（光が当ると起電力を生じるフォトダイオードなど）の光検出器を使用することができる。
【００２７】
ゴンドラ１の内部の明るさが明るいほど、外部からの観察者から視認し易い。逆にゴンドラ１の内部の明るさが暗くなるほど、外部からの観察者から視認し難くなる。
【００２８】
（スイッチ）
本発明のゴンドラ１で使用する調光システム３０で使用するスイッチ１３としては、通常の電気的回路で使用する各種のスイッチを使用可能である。各種のリレーの様な機械的に接点のＯＮ／ＯＦＦを行うものでも良いし、トランジスタやサイリスタの様な半導体素子を使用したスイッチでも構わない。
【００２９】
（ＯＮ／ＯＦＦ制御装置）
本発明のゴンドラ１で使用する調光システム３０で使用するＯＮ／ＯＦＦ制御装置１２は、位置センサ９と光センサ１１の情報に基づいて調光装置２０のＯＮ／ＯＦＦを制御する装置である。
【００３０】
ＯＮ／ＯＦＦ制御装置１２は、位置センサ９の計測値が予め設定したある高さ以上である場合は、光センサ１１の測定値が如何なる値であっても、調光装置２０を最も眺望が良い状態にする。すなわち、調光装置２０を最も広い面積に亘り透明な状態にする。また、位置センサ９の計測値がＨ未満である場合は、調光装置２０を光センサ１１の測定値に従って予め設定した状態になる様に制御する。
【００３１】
＜ＯＮ／ＯＦＦ制御装置の制御方法＞
次に、本発明のＯＮ／ＯＦＦ制御装置の制御方法について説明する。
本発明のＯＮ／ＯＦＦ制御装置の制御方法は、ＯＮ／ＯＦＦ制御装置が位置センサからのゴンドラの高さ情報と、光センサからのゴンドラ内部の明るさ情報と、を取得する工程と、取得したゴンドラ内部の明るさ情報による明るさｉ（ルックス）と、予め上限値として設定した明るさＩ（ルックス）と、取得した高さ情報による高さｈと、予め下限値として設定した高さＨと、において、ｈがＨ以上である場合はスイッチをＯＦＦし、ｈがＨ未満である場合は、ｉがＩ以上である場合はＯＮし、ｉがＩ未満である場合は、ｈの値とｉの値のセットに対応して予め設定したスイッチのＯＮ／ＯＦＦ特性に従ってＯＮ／ＯＦＦを制御する。
【００３２】
ここでＨは、例えば自然光の中で一番明るい夏至の晴天の南中時の明るさを明るさの上限値Ｉとして、その明るさの中で視力２．０の人が観覧車を見上げて、人物を識別できなくなるゴンドラの高さを高さの下限値Ｈとすることができる。
【００３３】
従って、一年中で一番明るい夏至の南中時の自然光の中で、ゴンドラ１の中の搭乗者を識別できなく高さの下限値がＨであるから、ゴンドラ１がＨ以上の高さｈでは、最早、ゴンドラ１を下から見上げる人物はゴンドラ１の中の搭乗者が誰であるかを識別できないほど距離が離れている。この状態においては、ＯＮ／ＯＦＦ制御装置１２は調光装置２０のスイッチ１３をＯＦＦにして透明にして、ゴンドラ１の窓部２を全て眺望可能とすることで眺望性を確保することができる。
【００３４】
また、ゴンドラ１がＨ未満の高さｈでは、ＯＮ／ＯＦＦ制御装置１２は明るさによってスイッチ１３のＯＮ／ＯＦＦを制御する。ゴンドラ１内部の明るさｉが、自然光の最高の明るさＩより明るい場合は、ＯＮ／ＯＦＦ制御装置１２はスイッチ１３をＯＮにして調光装置２０を遮光状態にして搭乗者のプライバシーを守る。一方、ゴンドラ１内部の明るさｉがＩより暗い場合は、明るさｉによってゴンドラ１内部の見え方が変わるため、予め設定した高さｈと明るさｉの特性値に従ってＯＮ／ＯＦＦ制御装置１２のスイッチ１３のＯＮ／ＯＦＦを制御する。
【００３５】
例えば、夜の場合は視認し難くなる。真っ暗な状態では何も見えない。黄昏時の明るさにおいても視認性は殆ど無い状態である。更に明るくなって来ると近距離では視認できるようになる。更に明るくなると視認可能な距離が伸びることになる。従って、黄昏時の暗い状態までは視認性は低いが、更に明るくなると視認性は急速に上がり、それ以上の明るさでは夏至の南中時の明るさに至るまで、十分高い視認性を持っていると考えられる。
【００３６】
そのような人の明るさに対する視認特性に対応したスイッチ１３の制御をすることにより、ゴンドラの搭乗者のプライバシーの保護と眺望性の確保が可能となる。
【００３７】
また、図１（ｂ）の調光フィルム部３−１や図１（ｃ）の調光フィルム部３−２の様に、遮光する部位を調整することができる。ゴンドラ１の高さがＨ以上であれば、明るさに関わらず調光装置２０の全ての調光フィルム部に電圧を印加して透明な状態にして眺望を最も良い状態とすることができる。
【００３８】
逆に、ゴンドラ１の高さがＨ未満であれば、高さｈと明るさｉに対応して予め設定したＯＮ／ＯＦＦ特性に従って、スイッチ１３のＯＮ／ＯＦＦを制御し、搭乗者のプライバシーの保護と眺望性の両立を確保することができる。
【００３９】
また、図１（ｂ）、（ｃ）に例示した様に、ゴンドラ１の窓部２に貼り付けた調光フィルム部を複数に分割し、ゴンドラ１の下側から上側に向けて、或いはその逆方向に、ゴンドラ１の搭乗者のプライバシーと眺望性の確保を両立する可能に、ＯＮ／ＯＦＦ制御装置１２により、分割した各調光フィルム部のＯＮ／ＯＦＦを制御することも可能である。
【符号の説明】
【００４０】
１、１−１、１−２・・・ゴンドラ（かご）
２・・・窓部
３−１、３−２・・・調光フィルム部
４・・・透明電極
５、５´・・・調光層
６・・・樹脂フィルム
７・・・接着層
８・・・ガラス板
９・・・位置センサ
１０、１０´・・・調光フィルム
１１・・・光センサ
１２・・・ＯＮ／ＯＦＦ制御装置
１３・・・スイッチ
２０、２０´・・・調光装置
３０・・・調光システム
【図１】
2019123577.tif 000003
【図２】
2019123577.tif 000004
【図３】
2019123577.tif 000005